(57)【特許請求の範囲】
【請求項１】
貯蔵缶を含み、
前記貯蔵缶の中には上方に開口した貯蔵空間が設置され、前記貯蔵空間の下端壁の中には作動空間が設置され、前記作動空間の中には仕切り機構が設置され、前記仕切り機構は旋転板を含み、前記旋転板の中には、前記旋転板の下端面の中心を配置中心にして、六つの上部空間が環状に配列され、六つの前記上部空間が前記旋転板の上下端面を貫通し、前記旋転板の下側には底部板が設置され、前記底部板の中には、前記底部板の上端面の中心を配置中心にして、六つの排出孔が環状に配列され、前記排出孔の上端壁と前記上部空間の下端壁との間には布製の袋が連結され、米を前記貯蔵空間に貯蔵でき、前記貯蔵空間の中に米を入れると、一番右側の前記上部空間以外の五つの前記上部空間、前記布製の袋、及び前記排出孔が米でいっぱい満たされ、前記底部板が上方に運動するとき、前記布製の袋の体積が小さくなり、
前記仕切り機構の下側には米の量調節機構が設置され、米の量調節機構は回転可能なカムを含み、前記カムの回転により前記底部板が駆動されて上下に運動することができ、
前記貯蔵空間の中には、下端壁が前記作動空間に連通した収納空間が設置され、前記収納空間の中には米出し機構が設置され、前記米出し機構は回転可能な連結軸を含み、前記連結軸の回転により前記旋転板が駆動されて回転することができることを特徴とする米を定量に分ける機能を備える米穀貯蔵缶。
【請求項２】
前記米の量調節機構はまた前記作動空間の後端壁と固定的に連結された固定ブロックを含み、前記固定ブロックの左端面には、左端が外部空間に位置する旋転軸が回転可能に設置され、前記カムが前記作動空間の中に位置する前記旋転軸に固定的に設置され、前記貯蔵缶の左端面の下側には計量ブロックが固定的に設置され、前記旋転軸の左端が前記計量ブロックの左端面を貫通し、前記旋転軸には指針が固定的に設置され、前記作動空間の後端壁の中には前方に開口した移動溝が形成され、前記移動溝の中には、前端が前記作動空間の中に位置する移動ブロックがスライド可能に設置され、前記移動ブロックの前端には支持板が固定的に設置され、前記支持板の中には前記支持板の上下端面を貫通した案内孔が設置され、前記案内孔の上端壁と一番右側の前記排出孔の下端壁とが連通し、前記作動空間の右端壁が排出空間により外部空間に連通し、前記貯蔵缶の右端面の下側には案内管が固定的に設置され、前記排出空間の左端壁と前記案内孔の下端壁とがホースにより連結されていることを特徴とする請求項１に記載の米を定量に分ける機能を備える米穀貯蔵缶。
【請求項３】
前記仕切り機構はまた記貯蔵空間の下端壁に設置された五つの連結空間を含み、前記連結空間は、前記貯蔵空間の下端壁と、一番右側の前記上部空間以外の五つの前記上部空間の上端壁とを連通させ、前記旋転板の下端面には二つの案内ブロックが左右対称となり、かつ固定的に設置され、前記案内ブロックの下端面の中には下方に開口した伸縮空間が設置され、前記伸縮空間の上端壁には圧力ばねが固定的に設置され、前記圧力ばねの下端には前記伸縮空間とスライド可能に連結された圧力ロッドが固定的に設置され、前記圧力ロッドの下端が前記伸縮空間の下端壁を貫通し、前記底部板の上端面と固定的に連結されていることを特徴とする請求項１に記載の米を定量に分ける機能を備える米穀貯蔵缶。
【請求項４】
前記米出し機構はまた前記収納空間の左右端壁の間に固定的に設置された止め板を含み、前記止め板の中には前記止め板の上下端面を貫通した斜面溝が形成され、前記止め板の下端面には前記旋転板の下端面と固定的に連結された伝動軸が回転可能に設置され、前記伝動軸には伝動傘歯車が固定的に設置され、前記止め板の下側にある前記収納空間の右端壁には動力軸が回転可能に設置され、前記動力軸の左端には動力傘歯車が固定的に設置され、前記動力傘歯車が前記伝動傘歯車と噛み合っており、前記動力軸には動力歯車が固定的に設置され、前記連結軸の下端が前記止め板の上端面と回転可能に連結され、前記連結軸の上端が前記収納空間の上端壁を貫通し、前記貯蔵空間の中に位置し、前記連結軸の上端には鉄板が固定的に設置され、前記収納空間の中にある前記連結軸には支持ブロックが固定的に設置され、前記支持ブロックの中には、前記連結軸を中心にして、六つの運動空間が環状に配列され、六つの前記運動空間が前記支持ブロックの上下端面を貫通し、前記運動空間において前記連結軸に近接した端壁の中には前記運動空間に向いて開口した伸縮溝が形成され、前記伸縮溝の上端壁には伸縮ばねが固定的に設置され、前記伸縮ばねの下端には前記伸縮溝とスライド可能に連結された伸縮ロッドが固定的に設置され、前記伸縮ロッドにおいて前記連結軸から離れた一端にはラックが固定的に設置され、前記ラックには斜面ブロックが固定的に設置され、一番右側の前記ラックと前記斜面ブロックが前記斜面溝の上下端壁を貫通し、一番右側の前記ラックが前記動力歯車と噛み合っていることを特徴とする請求項１に記載の米を定量に分ける機能を備える米穀貯蔵缶。
【請求項５】
前記貯蔵缶の上端面にはねじブロックが固定的に設置され、前記ねじブロックには蓋板がねじ山により連結され、前記蓋板の中には前記蓋板の上下端面を貫通した上部軸が回転可能に設置され、前記上部軸の下端が前記貯蔵空間の中に位置し、前記上部軸の下端には磁石板が固定的に設置され、前記磁石板が前記鉄板と吸引し合い、前記上部軸の上端が外部空間に位置し、前記上部軸の上端にはハンドルが固定的に設置されていることを特徴とする請求項４に記載の米を定量に分ける機能を備える米穀貯蔵缶。
【請求項６】
一番右側の前記伸縮ばねが自然状態にあり、他の五つの前記伸縮ばねが圧縮された状態にあることを特徴とする請求項４に記載の米を定量に分ける機能を備える米穀貯蔵缶。
【発明の詳細な説明】
【技術分野】
【０００１】
本願発明は穀物貯蔵分野に関し、具体的には米を定量に分ける機能を備える米穀貯蔵缶である。
【背景技術】
【０００２】
社会の発展と人々の生活水準の向上に伴い、人々は生活の質の向上を求めている。健康的な生活のために、食事管理では、主食の摂取に対し、特に米の摂取に対する厳しい要求がある。現在の米穀貯蔵缶に米を貯蔵するとき、計量カップで米を量ってから取り出し、目盛りを読み取る必要があるため、使用が面倒であり、目盛りを読み取らない場合、炊いた米が多すぎると無駄になり、少すぎると食事を楽にすることができなく、つまり、現在の米穀貯蔵缶は使用が不便で、使用体験が良くない。
【先行技術文献】
【特許文献】
【０００３】
【特許文献１】中国特許出願公開第１０３３３２３８５号明細書
【発明の概要】
【発明が解決しようとする課題】
【０００４】
本願発明の解決しようとする問題は米を定量に分ける機能を備える米穀貯蔵缶を提供することにより、米を取ることが不便で、米の量を精確に量ることができないなど問題を解決するのである。
【課題を解決するための手段】
【０００５】
本願発明は以下の技術プランにより実現される。
【０００６】
米を定量に分ける機能を備える米穀貯蔵缶は、貯蔵缶を含み、前記貯蔵缶の中には上方に開口した貯蔵空間が設置され、前記貯蔵空間の下端壁の中には作動空間が設置され、前記作動空間の中には仕切り機構が設置され、前記仕切り機構は旋転板を含み、前記旋転板のの中には、前記旋転板の下端面の中心を配置中心にして、六つの上部空間が環状に配列され、六つの前記上部空間が前記旋転板の上下端面を貫通し、前記旋転板の下側には底部板が設置され、前記底部板の中には、前記底部板の上端面の中心を配置中心にして、六つの排出孔が環状に配列され、前記排出孔の上端壁と前記上部空間の下端壁との間には布製の袋が連結され、米を前記貯蔵空間に貯蔵でき、前記貯蔵空間の中に米を入れると、一番右側の前記上部空間以外の五つの前記上部空間、前記布製の袋、及び前記排出孔が米でいっぱい満たされ、前記底部板が上方に運動するとき、前記布製の袋の体積が小さくなり、
前記仕切り機構の下側には米の量調節機構が設置され、米の量調節機構は回転可能なカムを含み、前記カムの回転により前記底部板が駆動されて上下に運動することができ、
前記貯蔵空間の中には、下端壁が前記作動空間に連通した収納空間が設置され、前記収納空間の中には米出し機構が設置され、前記米出し機構は回転可能な連結軸を含み、前記連結軸の回転により前記旋転板が駆動されて回転することができる。
【０００７】
前記米の量調節機構はまた前記作動空間の後端壁と固定的に連結された固定ブロックを含み、前記固定ブロックの左端面には、左端が外部空間に位置する旋転軸が回転可能に設置され、前記カムが前記作動空間の中に位置する前記旋転軸に固定的に設置され、前記貯蔵缶の左端面の下側には計量ブロックが固定的に設置され、前記旋転軸の左端が前記計量ブロックの左端面を貫通し、前記旋転軸には指針が固定的に設置され、前記作動空間の後端壁の中には前方に開口した移動溝が形成され、前記移動溝の中には、前端が前記作動空間の中に位置する移動ブロックがスライド可能に設置され、前記移動ブロックの前端には支持板が固定的に設置され、前記支持板の中には前記支持板の上下端面を貫通した案内孔が設置され、前記案内孔の上端壁と一番右側の前記排出孔の下端壁とが連通し、前記作動空間の右端壁が排出空間により外部空間に連通し、前記貯蔵缶の右端面の下側には案内管が固定的に設置され、前記排出空間の左端壁と前記案内孔の下端壁とがホースにより連結されている。
【０００８】
前記仕切り機構はまた記貯蔵空間の下端壁に設置された五つの連結空間を含み、前記連結空間は、前記貯蔵空間の下端壁と、一番右側の前記上部空間以外の五つの前記上部空間の上端壁とを連通させ、前記旋転板の下端面には二つの案内ブロックが左右対称となり、かつ固定的に設置され、前記案内ブロックの下端面の中には下方に開口した伸縮空間が設置され、前記伸縮空間の上端壁には圧力ばねが固定的に設置され、前記圧力ばねの下端には前記伸縮空間とスライド可能に連結された圧力ロッドが固定的に設置され、前記圧力ロッドの下端が前記伸縮空間の下端壁を貫通し、前記底部板の上端面と固定的に連結されている。
【０００９】
前記米出し機構はまた前記収納空間の左右端壁の間に固定的に設置された止め板を含み、前記止め板の中には前記止め板の上下端面を貫通した斜面溝が形成され、前記止め板の下端面には前記旋転板の下端面と固定的に連結された伝動軸が回転可能に設置され、前記伝動軸には伝動傘歯車が固定的に設置され、前記止め板の下側にある前記収納空間の右端壁には動力軸が回転可能に設置され、前記動力軸の左端には動力傘歯車が固定的に設置され、前記動力傘歯車が前記伝動傘歯車と噛み合っており、前記動力軸には動力歯車が固定的に設置され、前記連結軸の下端が前記止め板の上端面と回転可能に連結され、前記連結軸の上端が前記収納空間の上端壁を貫通し、前記貯蔵空間の中に位置し、前記連結軸の上端には鉄板が固定的に設置され、前記収納空間の中にある前記連結軸には支持ブロックが固定的に設置され、前記支持ブロックの中には、前記連結軸を中心にして、六つの運動空間が環状に配列され、六つの前記運動空間が前記支持ブロックの上下端面を貫通し、前記運動空間において前記連結軸に近接した端壁の中には前記運動空間に向いて開口した伸縮溝が形成され、前記伸縮溝の上端壁には伸縮ばねが固定的に設置され、前記伸縮ばねの下端には前記伸縮溝とスライド可能に連結された伸縮ロッドが固定的に設置され、前記伸縮ロッドにおいて前記連結軸から離れた一端にはラックが固定的に設置され、前記ラックには斜面ブロックが固定的に設置され、一番右側の前記ラックと前記斜面ブロックが前記斜面溝の上下端壁を貫通し、一番右側の前記ラックが前記動力歯車と噛み合っている。
【００１０】
前記貯蔵缶の上端面にはねじブロックが固定的に設置され、前記ねじブロックには蓋板がねじ山により連結され、前記蓋板の中には前記蓋板の上下端面を貫通した上部軸が回転可能に設置され、前記上部軸の下端が前記貯蔵空間の中に位置し、前記上部軸の下端には磁石板が固定的に設置され、前記磁石板が前記鉄板と吸引し合い、前記上部軸の上端が外部空間に位置し、前記上部軸の上端にはハンドルが固定的に設置されている。
【００１１】
一番右側の前記伸縮ばねが自然状態にあり、他の五つの前記伸縮ばねが圧縮された状態にある。
【発明の効果】
【００１２】
本願発明の効果は：本願発明は、米を内部に貯蔵でき、内部に貯蔵された米を小部分に分けられ、人数に応じて量を取って炊き、操作が簡単であり、時間を節約し、また、人は食事量によって量を一人分の量に調整でき、異なる人に適し、そして、食物を節約して無駄を避けることができる。
【図面の簡単な説明】
【００１３】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１４】
【図１】図１は本願発明全体の断面の正面構成概略図
【図２】図２は図１におけるＡの拡大概略図
【図３】図３は図２におけるＢーＢ方向の概略図
【図４】図４は図２におけるＣーＣ方向の概略図
【発明を実施するための形態】
【００１５】
図１〜４に記載の米を定量に分ける機能を備える米穀貯蔵缶は、貯蔵缶１０を含み、前記貯蔵缶１０の中には上方に開口した貯蔵空間１８が設置され、前記貯蔵空間１８の下端壁の中には作動空間１１が設置され、前記作動空間１１の中には仕切り機構７３が設置され、前記仕切り機構７３は旋転板５６を含み、前記旋転板５６のの中には、前記旋転板５６の下端面の中心を配置中心にして、六つの上部空間３２が環状に配列され、六つの前記上部空間３２が前記旋転板５６の上下端面を貫通し、前記旋転板５６の下側には底部板５１が設置され、前記底部板５１の中には、前記底部板５１の上端面の中心を配置中心にして、六つの排出孔４９が環状に配列され、前記排出孔４９の上端壁と前記上部空間３２の下端壁との間には布製の袋４８が連結され、米を前記貯蔵空間１８に貯蔵でき、前記貯蔵空間１８の中に米を入れると、一番右側の前記上部空間３２以外の五つの前記上部空間３２、前記布製の袋４８、及び前記排出孔４９が米でいっぱい満たされ、前記底部板５１が上方に運動するとき、前記布製の袋４８の体積が小さくなり、
前記仕切り機構７３の下側には米の量調節機構７２が設置され、米の量調節機構７２は回転可能なカム１４を含み、前記カム１４の回転により前記底部板５１が駆動されて上下に運動することができ、
前記貯蔵空間１８の中には、下端壁が前記作動空間１１に連通した収納空間２６が設置され、前記収納空間２６の中には米出し機構７０が設置され、前記米出し機構７０は回転可能な連結軸１９を含み、前記連結軸１９の回転により前記旋転板５６が駆動されて回転することができる。
【００１６】
有益なように、前記米の量調節機構７２はまた前記作動空間１１の後端壁と固定的に連結された固定ブロック１３を含み、前記固定ブロック１３の左端面には、左端が外部空間に位置する旋転軸１５が回転可能に設置され、前記カム１４が前記作動空間１１の中に位置する前記旋転軸１５に固定的に設置され、前記貯蔵缶１０の左端面の下側には計量ブロック１６が固定的に設置され、前記旋転軸１５の左端が前記計量ブロック１６の左端面を貫通し、前記旋転軸１５には指針１７が固定的に設置され、前記作動空間１１の後端壁の中には前方に開口した移動溝１２が形成され、前記移動溝１２の中には、前端が前記作動空間１１の中に位置する移動ブロック５２がスライド可能に設置され、前記移動ブロック５２の前端には支持板３１が固定的に設置され、前記支持板３１の中には前記支持板３１の上下端面を貫通した案内孔５０が設置され、前記案内孔５０の上端壁と一番右側の前記排出孔４９の下端壁とが連通し、前記作動空間１１の右端壁が排出空間２７により外部空間に連通し、前記貯蔵缶１０の右端面の下側には案内管２８が固定的に設置され、前記排出空間２７の左端壁と前記案内孔５０の下端壁とがホース２９により連結されている。
【００１７】
有益なように、前記仕切り機構７３はまた記貯蔵空間１８の下端壁に設置された五つの連結空間３３を含み、前記連結空間３３は、前記貯蔵空間１８の下端壁と、一番右側の前記上部空間３２以外の五つの前記上部空間３２の上端壁とを連通させ、前記旋転板５６の下端面には二つの案内ブロック５５が左右対称となり、かつ固定的に設置され、前記案内ブロック５５の下端面の中には下方に開口した伸縮空間３０が設置され、前記伸縮空間３０の上端壁には圧力ばね５３が固定的に設置され、前記圧力ばね５３の下端には前記伸縮空間３０とスライド可能に連結された圧力ロッド５４が固定的に設置され、前記圧力ロッド５４の下端が前記伸縮空間３０の下端壁を貫通し、前記底部板５１の上端面と固定的に連結されている。
【００１８】
有益なように、前記米出し機構７０はまた前記収納空間２６の左右端壁の間に固定的に設置された止め板３６を含み、前記止め板３６の中には前記止め板３６の上下端面を貫通した斜面溝４４が形成され、前記止め板３６の下端面には前記旋転板５６の下端面と固定的に連結された伝動軸３５が回転可能に設置され、前記伝動軸３５には伝動傘歯車３４が固定的に設置され、前記止め板３６の下側にある前記収納空間２６の右端壁には動力軸４６が回転可能に設置され、前記動力軸４６の左端には動力傘歯車４７が固定的に設置され、前記動力傘歯車４７が前記伝動傘歯車３４と噛み合っており、前記動力軸４６には動力歯車４５が固定的に設置され、前記連結軸１９の下端が前記止め板３６の上端面と回転可能に連結され、前記連結軸１９の上端が前記収納空間２６の上端壁を貫通し、前記貯蔵空間１８の中に位置し、前記連結軸１９の上端には鉄板２０が固定的に設置され、前記収納空間２６の中にある前記連結軸１９には支持ブロック４２が固定的に設置され、前記支持ブロック４２の中には、前記連結軸１９を中心にして、六つの運動空間３８が環状に配列され、六つの前記運動空間３８が前記支持ブロック４２の上下端面を貫通し、前記運動空間３８において前記連結軸１９に近接した端壁の中には前記運動空間３８に向いて開口した伸縮溝３９が形成され、前記伸縮溝３９の上端壁には伸縮ばね４０が固定的に設置され、前記伸縮ばね４０の下端には前記伸縮溝３９とスライド可能に連結された伸縮ロッド４１が固定的に設置され、前記伸縮ロッド４１において前記連結軸１９から離れた一端にはラック４３が固定的に設置され、前記ラック４３には斜面ブロック３７が固定的に設置され、一番右側の前記ラック４３と前記斜面ブロック３７が前記斜面溝４４の上下端壁を貫通し、一番右側の前記ラック４３が前記動力歯車４５と噛み合っている。
【００１９】
有益なように、前記貯蔵缶１０の上端面にはねじブロック２４が固定的に設置され、前記ねじブロック２４には蓋板２３がねじ山により連結され、前記蓋板２３の中には前記蓋板２３の上下端面を貫通した上部軸２１が回転可能に設置され、前記上部軸２１の下端が前記貯蔵空間１８の中に位置し、前記上部軸２１の下端には磁石板２５が固定的に設置され、前記磁石板２５が前記鉄板２０と吸引し合い、前記上部軸２１の上端が外部空間に位置し、前記上部軸２１の上端にはハンドル２２が固定的に設置されている。
【００２０】
有益なように、一番右側の前記伸縮ばね４０が自然状態にあり、他の五つの前記伸縮ばね４０が圧縮された状態にある。
【００２１】
本願発明の機械的動作は以下の通りである。
【００２２】
初期状態に、貯蔵空間１８に米が貯蔵されており、圧力ばね５３が圧縮された状態にある。
【００２３】
米を貯蔵空間１８に入れるとき、手動で蓋板２３を回し、蓋板２３とねじブロック２４とのねじ山による連結を介して蓋板２３をねじブロック２４から取り外し、磁石板２５が蓋板２３とともに移動して鉄板２０との吸引から離脱し、蓋板２３を取り外すことにより、貯蔵空間１８の中に米を注げ、米を注いだあと、蓋板２３をもとに戻し、磁石板２５が鉄板２０を吸引する。
【００２４】
貯蔵空間１８内部の一部の米は自重で連結空間３３を介して一番右側の上部空間３２以外の五つの上部空間３２、布製の袋４８、及び排出孔４９を満し、計量ブロック１６の左端面に目盛りがあり、指針１７が指した計量ブロック１６の左端面にある目盛りは、一番右側の任意の一つの上部空間３２と布製の袋４８と排出孔４９の内部にある米の量の和に等しく、食べる人たちの食事量の平均値を求め、当該平均値を指針１７が指した計量ブロック１６で表示された目盛りと比べ、指針１７を指針１７が指した計量ブロック１６で表示された目盛りの値と食べる人の平均食事量とが等しくなるまで回し、指針１７が旋転軸１５を回転させ、旋転軸１５がカム１４を回転させ、カム１４の回転により支持板３１が押し動かされて上下に運動することで、圧力ばね５３を圧縮する又は緩め、底部板５１が上下に運動することにより、布製の袋４８の体積が変化するため、布製の袋４８内部の一部の米が排出される又は貯蔵空間１８内部の一部の米が布製の袋４８に入る。
【００２５】
米を取るとき、容器を案内管２８の下側に置き、ハンドル２２を回して上部軸２１を回転させ、上部軸２１が磁石板２５を回転させ、磁石板２５が鉄板２０への吸引により、磁石板２５が鉄板２０を回転させ、鉄板２０が連結軸１９を回転させ、一番右側のラック４３が連結軸１９とともに回転して動力歯車４５との噛合から離脱し、一番右側の斜面ブロック３７が自体の斜面と斜面溝４４の後端壁の斜面との共同作用で一番右側の伸縮ばね４０を圧縮し、一番右側の斜面ブロック３７が止め板３６の上側まで上昇し、次のラック４３が斜面溝４４の位置まで運動するとき、伸縮ばね４０は復帰してラック４３を動力歯車４５と噛み合うように下降させ、動力歯車４５を回転させ、動力傘歯車４７が動力歯車４５とともに回転し、動力傘歯車４７と伝動傘歯車３４との噛合により、伝動傘歯車３４が駆動されて回転し、旋転板５６が伝動傘歯車３４とともに回転し、圧力ロッド５４と案内ブロック５５との協働で、底部板５１が旋転板５６とともに回転し、設定された一人分の米を案内孔５０から排出し、米がホース２９と排出空間２７を介して容器に排出され、案内管２８が米を排出するとき、ハンドル２２を回すことを米を全部排出するまで停止し、以上により、一人分の米を獲得でき、米は何人分必要があれば、以上の操作を何回すればよい。
【００２６】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【要約】
【課題】本願発明は米を定量に分ける機能を備える米穀貯蔵缶を開示した。
【解決手段】
貯蔵缶を含み、前記貯蔵缶の中には上方に開口した貯蔵空間が設置され、前記貯蔵空間の下端壁の中には作動空間が設置され、前記作動空間の中には仕切り機構が設置され、前記仕切り機構は旋転板を含み、前記旋転板のの中には、前記旋転板の下端面の中心を配置中心にして、六つの上部空間が環状に配列され、六つの前記上部空間が前記旋転板の上下端面を貫通し、前記旋転板の下側には底部板が設置され、本願発明は、米を内部に貯蔵でき、内部に貯蔵された米を小部分に分けられ、人数に応じて量を取って炊き、操作が簡単であり、時間を節約し、また、人は食事量によって量を一人分の量に調整でき、異なる人に適し、そして、食物を節約して無駄を避けることができる。
【選択図】図１【図１】
0006847345.tif 000002
【図２】
0006847345.tif 000003
【図３】
0006847345.tif 000004
【図４】
0006847345.tif 000005